(57)【要約】【課題】本発明は、コネクタが搭載された回路基板とフレキシブル配線基板を小さなスペースで配置することを目的とする。【解決手段】表示装置は、表示パネル１０と、表示パネル１０の周囲に配置された中フレーム１４と、表示パネル１０の表示面１６とは反対側に配置された下フレーム１８と、を有するケース１２と、表示パネル１０の表示制御を行うための回路を有する回路基板２２と、ケース１２の下フレーム１８と回路基板２２の間に少なくとも一部が配置された、表示パネル１０と回路基板２２を電気的に接続するフレキシブル配線基板３０と、回路基板２２の、フレキシブル配線基板３０とは反対側に搭載された、外部との電気的接続のためのコネクタと、を有し、フレキシブル配線基板３０は穴３４を有し、回路基板２２は、フレキシブル配線基板３０の穴３４を介して、下フレーム１８に固定されている。【選択図】図３
2011022192.tif 000002
【特許請求の範囲】
【請求項１】
表示パネルと、
前記表示パネルの表示面とは反対側に配置された下フレームと、
前記下フレームの前記表示パネルとは反対側の面に配置された回路基板と、
前記表示パネルに接続されたフレキシブル配線基板とを有し、
前記フレキシブル配線基板は、前記表示パネル側から前記下フレームの前記表示パネルとは反対側の面へ折り返され、且つ少なくとも一部が前記下フレームと前記回路基板との間に配置され、
前記フレキシブル配線基板は穴を有し、
前記回路基板は、前記フレキシブル配線基板の前記穴を介して、前記下フレームに固定されていることを特徴とする表示装置。
【請求項２】
請求項１に記載された表示装置において、
前記下フレームは、前記回路基板の方向に突出する凸部を有し、
前記凸部は、前記フレキシブル配線基板の前記穴に挿入されて前記回路基板を支持し、
前記回路基板は、前記下フレームと前記凸部で固定されることを特徴とする表示装置。
【請求項３】
請求項１に記載された表示装置において、
前記下フレームは、前記回路基板の方向に突出する第１の凸部と第２の凸部とを有し、
前記第１の凸部と前記第２の凸部は、前記フレキシブル配線基板の前記穴に挿入されて前記回路基板を支持し、
前記回路基板は、前記下フレームと前記第１の凸部で固定され、前記第２の凸部では固定されていないことを特徴とする表示装置。
【請求項４】
請求項２に記載された表示装置において、
前記凸部の高さが前記フレキシブル配線基板の厚みよりも高く、
前記回路基板と前記フレキシブル配線基板との間及び前記下フレームと前記フレキシブル配線基板との間の少なくとも一方に隙間が形成されることを特徴とする表示装置。
【請求項５】
請求項３に記載された表示装置において、
前記第１の凸部の高さと前記第２の凸部の高さとは共に、前記フレキシブル配線基板の厚みよりも高く、
前記回路基板と前記フレキシブル配線基板との間及び前記下フレームと前記フレキシブル配線基板との間の少なくとも一方に隙間が形成されることを特徴とする表示装置。
【請求項６】
請求項１から５のいずれか１項に記載された表示装置において、
前記回路基板の、前記フレキシブル配線基板とは反対側の面には、コネクタが搭載され、
前記回路基板は、前記コネクタの搭載位置と前記コネクタ搭載位置から最も近い前記回路基板の端部との間の位置で、前記下フレームに固定されることを特徴とする表示装置。
【請求項７】
請求項１から５のいずれか１項に記載された表示装置において、
前記回路基板の、前記フレキシブル配線基板とは反対側の面には、コネクタが搭載され、
前記コネクタと前記下フレームの間に、前記フレキシブル配線基板の少なくとも一部が配置されることを特徴とする表示装置。
【請求項８】
請求項７に記載された表示装置において、
前記コネクタは接続口を有し、
前記接続口は所定の方向を向いており、
前記所定の方向は、前記コネクタの搭載位置から前記フレキシブル配線基板が折り返されている部分へ向かう方向であることを特徴とする表示装置。
【請求項９】
請求項１から５のいずれか１項に記載された表示装置において、
前記回路基板の、前記フレキシブル配線基板とは反対側の面には、第１のコネクタと第２のコネクタが搭載され、
前記第１のコネクタは接続口を有し、
前記フレキシブル配線基板と前記回路基板とは、前記第１のコネクタの前記接続口の前方を避けて第２のコネクタで接続されていることを特徴とする表示装置。
【発明の詳細な説明】
【技術分野】
【０００１】
本発明は、表示装置に関する。
【背景技術】
【０００２】
液晶表示パネルなどの表示パネルを有する表示装置には、その背面（表示面とは反対側）に、表示駆動のための回路基板が配置される（特許文献１及び２参照）。回路基板と表示パネルはフレキシブル配線基板によって電気的に接続される。詳しくは、フレキシブル配線基板は、その一方の端部が表示パネルに取り付けられ、他方の端部が回路基板に取り付けられ、表示パネルの端部からその裏側に回り込むように折り返されている。
【先行技術文献】
【特許文献】
【０００３】
【特許文献１】特開２００３−６６４８３号公報
【特許文献２】特開２００７−１２１６１５号公報
【発明の概要】
【発明が解決しようとする課題】
【０００４】
従来の構造では、表示装置の背面に、回路基板及びフレキシブル配線基板を配置する際には、回路基板とフレキシブル配線基板とが重ならないように配置されていた。そのため、表示装置の背面にはある程度のスペースが必要であった。よって画面サイズが小さい表示装置においては、その背面に回路基板及びフレキシブル配線基板を配置するスペースが確保できないという問題があった。
【０００５】
また、限られたスペースに回路基板とフレキシブル配線基板とを重ならないように配置するため、これらを配置するレイアウト設計に制約を受けていた。更に、回路基板には、外部機器との電気的接続のためのコネクタが搭載されるので、フレキシブル配線基板がコネクタを覆うように回路基板とフレキシブル配線基板と重ねて配置することはできない。
【０００６】
本発明は、コネクタが搭載された回路基板とフレキシブル配線基板を小さなスペースで配置することを目的とする。
【課題を解決するための手段】
【０００７】
（１）本発明に係る表示装置は、表示パネルと、前記表示パネルの表示面とは反対側に配置された下フレームと、前記下フレームの前記表示パネルとは反対側の面に配置された回路基板と、前記表示パネルに接続されたフレキシブル配線基板とを有し、前記フレキシブル配線基板は、前記表示パネル側から前記下フレームの前記表示パネルとは反対側の面へ折り返され、且つ少なくとも一部が前記下フレームと前記回路基板との間に配置され、前記フレキシブル配線基板は穴を有し、前記回路基板は、前記フレキシブル配線基板の前記穴を介して、前記下フレームに固定されていることを特徴とする。本発明によれば、回路基板とフレキシブル配線基板が重なるので、コネクタが搭載された回路基板とフレキシブル配線基板を小さなスペースで配置することができる。
【０００８】
（２）（１）に記載された表示装置において、前記下フレームは、前記回路基板の方向に突出する凸部を有し、前記凸部は、前記フレキシブル配線基板の前記穴に挿入されて前記回路基板を支持し、前記回路基板は、前記下フレームと前記凸部で固定されることを特徴としてもよい。
【０００９】
（３）（１）に記載された表示装置において、前記下フレームは、前記回路基板の方向に突出する第１の凸部と第２の凸部とを有し、前記第１の凸部と前記第２の凸部は、前記フレキシブル配線基板の前記穴に挿入されて前記回路基板を支持し、前記回路基板は、前記下フレームと前記第１の凸部で固定され、前記第２の凸部では固定されていないことを特徴としてもよい。
【００１０】
（４）（２）に記載された表示装置において、前記凸部の高さが前記フレキシブル配線基板の厚みよりも高く、前記回路基板と前記フレキシブル配線基板との間及び前記面材部と前記フレキシブル配線基板との間の少なくとも一方に隙間が形成されることを特徴としてもよい。
【００１１】
（５）（３）に記載された表示装置において、前記第１の凸部の高さと前記第２の凸部の高さとは共に、前記フレキシブル配線基板の厚みよりも高く、前記回路基板と前記フレキシブル配線基板との間及び前記下フレームと前記フレキシブル配線基板との間の少なくとも一方に隙間が形成されることを特徴としてもよい。
【００１２】
（６）（１）から（５）のいずれか１項に記載された表示装置において、前記回路基板の、前記フレキシブル配線基板とは反対側の面には、コネクタが搭載され、前記回路基板は、前記コネクタの搭載位置と前記コネクタ搭載位置から最も近い前記回路基板の端部との間の位置で、前記下フレームに固定されることを特徴としてもよい。
【００１３】
（７）（１）から（５）のいずれか１項に記載された表示装置において、前記回路基板の、前記フレキシブル配線基板とは反対側の面には、コネクタが搭載され、前記コネクタと前記下フレームの間に、前記フレキシブル配線基板の少なくとも一部が配置されることを特徴としてもよい。
【００１４】
（８）（７）に記載された表示装置において、前記コネクタは接続口を有し、前記接続口は所定の方向を向いており、前記所定の方向は、前記コネクタの搭載位置から前記フレキシブル配線基板が折り返されている部分へ向かう方向であることを特徴としてもよい。
【００１５】
（９）（１）から（５）のいずれか１項に記載された表示装置において、前記回路基板の、前記フレキシブル配線基板とは反対側の面には、第１のコネクタと第２のコネクタが搭載され、前記第１のコネクタは接続口を有し、前記フレキシブル配線基板と前記回路基板とは、前記第１のコネクタの前記接続口の前方を避けて第２のコネクタで接続されていることを特徴としてもよい。
【図面の簡単な説明】
【００１６】
【図１】本発明の実施形態に係る表示装置を示す正面側の斜視図である。
【図２】本発明の実施形態に係る表示装置を示す背面側の斜視図である。
【図３】本発明の実施形態に係る表示装置の分解斜視図である。
【図４】表示パネルとケースの分解斜視図である。
【図５】回路基板の取り付け構造を説明するための図である。
【発明を実施するための形態】
【００１７】
以下、本発明の実施形態について、図面を参照して説明する。
【００１８】
図１は、本発明の実施形態に係る表示装置を示す正面側の斜視図である。図２は、本発明の実施形態に係る表示装置を示す背面側の斜視図である。図３は、本発明の実施形態に係る表示装置の分解斜視図である。図４は、表示パネルとケースの分解斜視図である。図５は、回路基板の取り付け構造を説明するための図である。
【００１９】
図１に示すように、表示装置は表示パネル１０を有する。表示パネル１０として、液晶表示パネル、有機エレクトロルミネッセンス表示パネル又はプラズマ表示パネルなどを例に挙げることができる。４２は上フレームである。上フレーム４２は開口部を有し、開口部から表示パネル１０の表示面１６を露出させ、表示パネル１０を覆っている。
【００２０】
図２を用いて、本発明の表示装置の背面側の構成を説明する。上フレーム４２とケース１２とは、表示パネル１０を格納すると共に、互いに組み合わされている。ケース１２は下フレーム１８を有し、下フレーム１８の上フレーム４２とは反対側の面に、回路基板２２が配置されている。２４は下フレーム１８と回路基板２２とを固定するネジである。回路基板２２上に配置された２６は、外部機器との電気的接続のための第１コネクタであり、２８は第１コネクタ２６の接続口である。４０は回路基板２２の一部と後述するフレキシブル配線基板の一部とを覆うカバーである。
【００２１】
図３を用いて図２に示す構成の詳細を説明する。ケース１２は下フレーム１８と中フレーム１４を有する。中フレーム１４は、表示パネル１０を支持している。表示パネルが液晶表示パネルの場合、下フレーム１８と中フレーム１４の間には、図示しないバックライトユニットが格納されている。バックライトユニットは、例えば、冷陰極管（ＣＦＬ）や発光ダイオード（ＬＥＤ）からなる光源と、反射シートや拡散シート等からなる光学シートと、導光板等で構成されている。
【００２２】
下フレーム１８は、表示パネル１０とは反対の面に表示パネル１０とは反対の方向に突出する凸部２０を有している。凸部２０は、例えば下フレーム１８の塑性加工で凸部２０を形成し、下フレーム１８の凸部２０の反対側に凹部（図示せず）を形成して製作することができる。
【００２３】
回路基板２２は、表示パネル１０の表示制御を行うための回路を備えている。回路基板２２は、下フレーム１８と下フレーム１８に形成された凸部２０で固定されている。固定にはネジ２４を使用することができる。また、回路基板２２は、回路基板２２の端部（例えば矩形の回路基板２２の角部）で下フレーム１８と固定されている。即ち、回路基板２２の端部に凸部２０が対向する。凸部２０は、下フレーム１８から回路基板２２の方向に突出する。
【００２４】
図３に示すように、第１コネクタ２６の接続口２８は、回路基板２２の第１コネクタ２６に最も近い端部の方向に開口する。回路基板２２は、第１コネクタ２６の搭載位置よりも端部寄りの位置で凸部２０と接し、下フレーム１８に固定されている。
【００２５】
表示装置は、表示パネル１０と回路基板２２を電気的に接続するフレキシブル配線基板３０を有する。フレキシブル配線基板３０は、表示パネル１０から折り返されてして下フレーム１８上に延びている（図４参照）。また、フレキシブル配線基板３０は、回路基板２２の第１コネクタ２６が搭載された側とは反対側に配置される部分を有する。即ち、下フレーム１８とフレキシブル配線基板３０と回路基板２２とが、この順に重なる領域が存在する。なお、フレキシブル配線基板３０の一部は、回路基板２２との接続のため、回路基板２２の第１コネクタ２６が搭載された側に配置される。
【００２６】
図３及び図４に示すように、フレキシブル配線基板３０は穴３４を有する。凸部２０は、フレキシブル配線基板３０の穴３４に挿入されて回路基板２２を支持している。そして、フレキシブル配線基板３０の穴３４を介して回路基板２２が下フレーム１８（凸部２０）に固定されている。凸部２０は、その高さがフレキシブル配線基板３０の厚みよりも高く形成されている。したがって、回路基板２２とフレキシブル配線基板３０との間と、下フレーム１８とフレキシブル配線基板３０との間と、の少なくとも一方に隙間が形成される。
【００２７】
また、下フレーム１８は、凸部２０の他にスペーサ部３６も有する。スペーサ部３６も、表示パネル１０とは反対の面から表示パネル１０とは反対の方向に突出する。スペーサホール３８も、その高さがフレキシブル配線基板３０の厚みよりも高く形成されている。フレキシブル配線基板３０は、穴３４の他にスペーサホール３８を有する。フレキシブル配線基板３０は、スペーサホール３８にスペーサ部３６が入るように配置されており、スペーサ部３６が回路基板２２を支持する（例えば接触する）ようになっている。凸部２０とは違って、スペーサ部３６は回路基板２２と接触しているものの、回路基板２２と下フレーム１８とはスペーサ部３６で固定されていない。
【００２８】
上述の凸部２０及びスペーサ部３６の構成により、コネクタ２６に外部機器の接続端子を差し込む際に回路基板２２が撓み、フレキシブル配線基板３０が傷つくことを防止できる。
【００２９】
更に、ケース１２には、回路基板２２の少なくとも一部及びフレキシブル配線基板３０の少なくとも一部を覆うカバー４０が取り付けられている。カバー４０を、電磁波をシールドする材料（例えば金属等の導電体）から構成すれば、ＥＭＩ（Electro Magnet Interference）対策（不要輻射対策）を施すことができる。
【００３０】
図５に示すように、フレキシブル配線基板３０は、ケース１２の下フレーム１８と回路基板２２（例えば第１コネクタ２６が搭載された部分）との間に少なくとも一部が配置されている。表示装置の４辺のうち、フレキシブル配線基板３０が折り返されている側の辺に、第１コネクタ２６の接続口２８が開口している。フレキシブル配線基板３０は、第１コネクタ２６の接続口２８の前方を避けて、回路基板２２に接続されている。接続には第２コネクタ３２が用いられる。回路基板２２の下フレーム１８とは反対側に第２コネクタ３２が搭載されている。第２コネクタ３２の接続口（図示せず）は、第１コネクタ２６の接続口２８の開口方向とは異なる方向に開口している。
【００３１】
本実施形態によれば、図５に示すように、回路基板２２とフレキシブル配線基板３０が重なるので、第１コネクタ２６が搭載された回路基板２２とフレキシブル配線基板３０を小さなスペースで配置することができる。また、回路基板２２とフレキシブル配線基板３０とを重ねて配置できるため、カバー４４の大きさを小さくすることができ、部材のコスト低減の効果も得られる。更に、本実施形態の凸部２０及びスペーサ部３６の構成により、コネクタ２６に外部機器の接続端子を差し込む際に回路基板２２が撓み、フレキシブル配線基板３０が傷つくことを防止できる。特に、例えば外部機器と本願発明の表示装置の位置関係により、フレキシブル配線基板３０が回路基板２２の第１コネクタ２６が搭載された部分と重なるように配置された場合（即ち第１コネクタ２６と下フレーム１８との間に、フレキシブル配線基板３０の少なくとも一部が配置される場合）、この効果は顕著である。
【００３２】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３３】
１０  表示パネル、１２  ケース、１４  中フレーム、１６  表示面、１８  下フレーム、２０  凸部、２２  回路基板、２４  ネジ、２６  第１コネクタ、２８  接続口、３０  フレキシブル配線基板、３２  第２コネクタ、３４  穴、３６  スペーサ部、３８  スペーサホール、４０  カバー、４２  上フレーム。
【図１】
2011022192.tif 000003
【図２】
2011022192.tif 000004
【図３】
2011022192.tif 000005
【図４】
2011022192.tif 000006
【図５】
2011022192.tif 000007